(57)【特許請求の範囲】
【請求項１】
間隔をおいて立設された支柱間に上下並行に複数取付けられた横ビーム間に注意喚起板が取付けられ、注意喚起板は、表面に注意喚起の表示が施された本体の裏面に横ビームの外形に対応した内形の取付部が形成され、一部切欠円形体からなる前記取付部が円形鋼管から形成された横ビームの外側に嵌め合わされることにより前記注意喚起板が取り付けられるようになされ、更に前記取付部の外形に対応した内形の外れ防止部材が取付部の外側に被せられて取付部を挟持するようになされ、横ビームに取付けられたことを特徴とする防護柵。
【請求項２】
前記外れ防止部材の外側への拡がりを防ぐ壁体が前記本体の裏面に設けられていることを特徴とする請求項１に記載の防護柵。
【発明の詳細な説明】
【技術分野】
【０００１】
本発明は、道路側縁等に設置された防護柵、特にＴ字状に道路が交差した箇所に設置された防護柵において、ドライバーに対して道路の進行方向等を表し注意喚起を図るための注意喚起板が取付けられた防護柵に関するものである。
【背景技術】
【０００２】
従来、防護柵に関する発明は多岐にわたりなされており、例えば特許文献１に記載されるような防護柵がある。
【０００３】
この防護柵は、間隔をおいて立設された複数の支柱間に複数の横ビームを上下平行に架設したガードパイプにおいて、その上下の横ビーム間にわたってパネルを取付けたものであり、そのパネルの取付けは、パネルの上下端部が横ビームの外周に当接して屈曲し、横ビームの外周に当接する内曲面を有する取付金具をパネルにネジ止めし、横ビームを挟持することでなされたものである。
【０００４】
【特許文献１】特開平０６−２６４４２０号公報（段落番号１１、図面の図２）
【発明の開示】
【発明が解決しようとする課題】
【０００５】
しかしながら、上述の如き防護柵においては、パネルを横ビームに取付けるには複数のネジを用いるため、取付けに時間を要し、施工性がそれほど良いとは言い難い。
【０００６】
そこで本発明は上記の如き問題点を解消し、簡単に横ビームに取付けることができるパネルが取付けられた防護柵を提供せんとするものである。
【課題を解決するための手段】
【０００７】
上記目的を達成するために、本発明は次のような構成としている。
すなわち、本発明に係る防護柵は、間隔をおいて立設された支柱間に上下並行に複数取付けられた横ビーム間に注意喚起板が取付けられ、注意喚起板は、表面に注意喚起の表示が施された本体の裏面に横ビームの外形に対応した内形の取付部が形成され、一部切欠円形体からなる前記取付部が円形鋼管から形成された横ビームの外側に嵌め合わされることにより前記注意喚起板が取り付けられるようになされ、更に前記取付部の外形に対応した内形の外れ防止部材が取付部の外側に被せられて取付部を挟持して、横ビームに取付けられたことを特徴とするものである。
また本発明に係る防護柵は、前記構成に加えて、前記外れ防止部材の外側への拡がりを防ぐ壁体が前記本体の裏面に設けられていることを特徴とするものである。
【発明の効果】
【０００８】
本発明によれば、本体の裏面に形成された取付部を横ビームの外側に嵌め合わせ、更に前記取付部の外側に外れ防止部材を被せることにより、注意喚起板を取付けるので、横ビームへの注意喚起板の取付けをより強固なものとすることができる。
【０００９】
本発明において、外れ防止部材を、弾性を有し、略Ｕ字状に形成すると共に、その開口部内縁に内向きに突部を設け、その位置に対応した取付部に外れ防止部材の突部に対応した形状の孔を設け、外れ防止部材の突部と取付部の孔とを嵌め合わせて取付部を外れ防止部材で挟持するようにしてもよい。かようにすれば、略Ｕ字状の外れ防止部材をその開口部から注意喚起板の取付部に嵌め込むだけで、防護柵への注意喚起板の取付けが完了するため、防護柵に注意喚起板を簡単に取付けることができ、又外れ防止部材の突部と取付部の孔とを嵌め合わせるので、外れ防止部材は取付部に確実に取付けられる。
【発明を実施するための最良の形態】
【００１０】
本発明に係る実施の形態について、図面に基づき以下に具体的に説明する。
すなわち、図１は本発明に係る防護柵の実施の一形態を示す正面図、図２イ）は図１に示す注意喚起板の正面図、図２ロ）はイ）の側面図、図２ハ）はイ）の背面図、図３イ）は注意喚起板を防護柵に取付ける際に用いる外れ防止部材の正面図、図３ロ）はイ）の側面図、図４は外れ防止部材を注意喚起板に取付ける状態を示す要部断面の説明図である。
【００１１】
図１において、Ｓは道路等に設置される本発明に係る防護柵であって、間隔をおいて立設された支柱１間に横ビーム２が上下並行に間隔を開けて上段ビーム２ａ、中段ビーム２ｂ、下段ビーム２ｃの３段に取付けられ、上段ビーム２ａから下段ビーム２ｃにわたり注意喚起板３が１個取付けられている。
【００１２】
前記支柱１及び横ビーム２は、従来の防護柵に用いられているものと同様なものが用いられ、一般には表面を塗装や合成樹脂で被覆した円形鋼管から形成されているものであって、支柱１の側面に取付けられた支持金具１１を介して各横ビーム２ａ〜２ｃが取付けられているものである。
【００１３】
注意喚起板３は、本体４の表面に再帰性反射体６が取付けられた注意喚起の表示、すなわち本形態では対向してくる車両を右方向に導くために、右方向の矢印が施されている。
【００１４】
再帰性反射体６は、接着剤により本体４の表面に接着されてもよいし、再帰性反射体６の裏面に円柱状の凸部を設け、本体４に設けた前記凸部の外形に対応する貫通孔に凸部を貫通させ、内側に係止部を有する扁平リング状の係止具を凸部外側面に嵌着することにより、本体４の表面に係止させてもよい。
【００１５】
再帰性反射体６としては、入射された光を高い効率で再帰反射できるレンズ反射体が好適に用いられるが、特に限定されたものではなく、多数の反射素子群を形成し、その反射素子群の裏面にアルミニウムのような金属の薄膜を金属蒸着法等により積層して反射性能を高めたプリズム状のものや、ガラスビーズやプリズム反射体を表面に配置した反射シート、合成樹脂製のシートにガラスビーズを埋設したもの等を適宜用いることができる。
【００１６】
次に、図２イ）〜ハ）により、注意喚起板３の本体４と取付部５について説明する。
本体４は、その上端と下端が上段ビーム２ａと下段ビーム２ｃの外形に沿うように背面側に曲げられた形状となされると共に、背面側に開口する箱型となされ、左右側壁の上部、中央、下部が各々横ビーム２ａ〜２ｃの外形に沿うように切り欠かれている。又本体４の裏面中央には、中段ビーム２ｂの外形に対応した内形の一部切欠円形体からなる取付部５が本体４と一体に形成されている。そして取付部５を中段ビーム２ｂに嵌め合わせ、又左右側壁の切欠部４１を各々横ビーム２ａ〜２ｃに嵌め合わせることにより、注意喚起板３が横ビーム２に取付けられるようになされている。
【００１７】
尚、上記形態では取付部５を１個として、中段ビーム２ｂに嵌め合わせるようになされているが、取付部５を２個として、上段ビーム２ａ及び下段ビーム２ｃに嵌め合わせるようにしてもよい。また、上段ビーム２ａと中段ビーム２ｂと下段ビーム２ｃの３箇所に取付部５を嵌め合わせて、注意喚起板３を取付けるようにしてもよい。更に、取付部５は各横ビーム２ａ〜２ｃに対して１個づつ形成されていてもよいし、注意喚起板３の左右端部にそれぞれ形成し、各横ビーム２ａ〜２ｃに対して２個づつ嵌め合わせるようにしてもよく、取付部５の数は、注意喚起板３の大きさや重量等によって適宜決定すればよい。
【００１８】
また、注意喚起板３の本体４及び取付部５は、ポリエチレン等のオレフィン系合成樹脂、塩化ビニル、ポリウレタンやポリカーボネート等の可撓性を有する熱可塑性合成樹脂で形成するのがよい。取付部５を中段ビーム２ｂに嵌め込んだ際に、可撓性による復元力により、取付部５が中段ビーム２ｂを確実に挟持できるからである。
【００１９】
図３イ）、ロ）は、注意喚起板３の取付けを更に強固にするための外れ防止部材７である。この外れ防止部材７は、弾性を有し、断面が略Ｕ字状となされると共に、その開口部７１の両内縁に内向きに突部７２が設けられ、その位置に対応した注意喚起板３の取付部５には、前記突部７２に対応した形状の孔５１が設けられ、図４に示すように、外れ防止部材７の開口部７１を注意喚起板３の背面側から圧入し、外れ防止部材７の突部７２と取付部５の孔５１とを嵌め合わせて取付部５を外れ防止部材７で挟持することにより、注意喚起板３の取付けを強固なものとなしている。尚、前記孔５１は突部７２と嵌め合わせ可能であれば貫通孔でもよいし、有底孔でもよい。
【００２０】
尚、何らかの要因により、外れ防止部材７の開口部７１が外向きに拡がるのを防ぐため、注意喚起板３の取付部５近傍に本体４裏面から突出させた複数の壁体４２を設けてもよい。
【００２１】
外れ防止部材７は、ポリエチレン等のオレフィン系合成樹脂、塩化ビニル、ポリウレタン、ポリカーボネートやジュラコン等の可撓性を有する熱可塑性合成樹脂で形成するのがよい。外れ防止部材７の可撓性による復元力により、取付部５を確実に挟持させるためである。
【産業上の利用可能性】
【００２２】
本発明に係る防護柵は、注意喚起板が取付けられているため、従来の防護柵自体の機能に加えて注意喚起が行えると共に、横ビームへの注意喚起板の取付けを簡単に、しかも後付け可能に、且つより強固なものとすることができる防護柵として、好適に利用することができる。
【図面の簡単な説明】
【００２３】
【図１】本発明に係る防護柵の実施の一形態を示す正面図である。
【図２】イ）は図１に示す注意喚起板の正面図、ロ）はイ）の側面図、ハ）はイ）の背面図である。
【図３】イ）は注意喚起板を防護柵に取付ける際に用いる外れ防止部材の正面図、ロ）はイ）の側面図である。
【図４】外れ防止部材を注意喚起板に取付ける状態を示す要部断面の説明図である。
【符号の説明】
【００２４】
Ｓ      防護柵
１      支柱
２      横ビーム
３      注意喚起板
４      本体
４１    切欠部
４２    壁体
５      取付部
５１    孔
６      再帰性反射体
７      外れ防止部材
７１    開口部
７２    突部
【図１】
0004448810.tif 000002
【図２】
0004448810.tif 000003
【図３】
0004448810.tif 000004
【図４】
0004448810.tif 000005